(57)【要約】 【課題】互いに異なる表示装置の絵柄表示部が同時に見えた場合に於いて、両方の絵柄表示部の視覚上のバランス感覚を確保すること。【解決手段】  遊技機に装着することができる回転体に、前記表示装置の絵柄表示部にそれぞれ対応する窓部分を有する複数枚の表示板を互いに交差状に取付け、表示板の内、少なくとも一つの表示板の窓部分からは、互いに異なる表示装置の絵柄表示部が同時に見え、かつ、一方の表示装置の曲面状の絵柄表示部と接する接線に対して、他方のフラット状の絵柄表示部が略一致することを特徴とするユニット型表示装置。【選択図】  図５
2007130299.tif 000002
【特許請求の範囲】
【請求項１】
遊技機に装着することができる回転体に、プレイヤーの視線を基準にして絵柄表示部の位置を切り換えることが可能な複数種類の表示装置を備えるユニット型表示装置に於いて、前記回転体に、前記表示装置の絵柄表示部にそれぞれ対応する窓部分を有する複数枚の表示板を互いに交差状に取付け、前記表示板の内、少なくとも一つの表示板の窓部分からは、互いに異なる表示装置の絵柄表示部が同時に見え、かつ、一方の表示装置の曲面状の絵柄表示部と接する接線に対して、他方のフラット状の絵柄表示部が略一致することを特徴とするユニット型表示装置。
【請求項２】
請求項１に於いて、表示板の窓部分は、絵柄表示部の種類に対応して、それぞれ異なる形状或いは数に形成されていることを特徴とするユニット型表示装置。
【請求項３】
請求項１に於いて、ユニット型表示装置は、回転体を支持する支持箱を備え、該支持箱の外壁面側に駆動源、動力伝達手段及び回転体の切換え位置用検出手段を、それぞれ取付けたことを特徴とするユニット型表示装置。
【請求項４】
請求項１に於いて、ユニット型表示装置は、遊技機のベース板の背後に配設された支持箱と、この支持箱に回転軸を介して軸支された回転体と、この回転体の対向支持板の内面中央部に交差する連結板に表面及び背面にそれぞれ配設された異なる種類の表示装置とを備えていることを特徴とする遊技機。
【請求項５】
請求項１に於いて、一つの表示板の複数の窓部分から、少なくとも３種類の異なる表示装置の絵柄表示部が同時に見えることを特徴とするユニット型表示装置。
【請求項６】
請求項５に於いて、一つの表示板の一つ窓部分から、ホイール型と液晶型の表示装置の絵柄表示部が同時に見え、かつ、ホイール型表示装置の中央部分に相当する曲面状絵柄表示部と接する接線に対して、端部側に位置する液晶型絵柄表示部が略一致することを特徴とするユニット型表示装置。
【請求項７】
遊技機に装着することができる回転体に、プレイヤーの視線を基準にして絵柄表示部の位置を切り換えることが可能な複数種類の表示装置を備えるユニット型表示装置に於いて、前記回転体に、前記表示装置の絵柄表示部にそれぞれ対応する複数の窓部分を有する単数の表示板を、前記複数種類の表示装置を囲むように取付け、前記表示板の内、少なくとも一つの表示板の窓部分からは、互いに異なる表示装置の絵柄表示部が同時に見え、かつ、一方の表示装置の曲面状の絵柄表示部と接する接線に対して、他方のフラット状の絵柄表示部が略一致することを特徴とするユニット型表示装置。
【発明の詳細な説明】
【技術分野】
【０００１】
本発明は、パチンコ、スロットマシンなど遊技機用ユニット型表示装置に関する。
【背景技術】
【０００２】
特許文献１には遊技機用ユニット型表示装置が記載されている。このユニット型表示装置は、遊技機のベース板の裏面に固定的に取付けられた図示しない一対の軸受け部材に回転軸を介して設けられた回転体と、この回転体に一体的に取付けられた複数種類の表示装置とから成る。
【０００３】
そして、前記表示装置は、ケース状の回転体の一側上面に配列された複数個のリール（第１表示装置）と、これらのリールの反対側の側面に設けられた液晶画面（第２表示装置）と、前記回転体内に回転自在に内装された一つのホイール（第３表示装置）とから成り、前記ホイールの外周は、回転体の側壁に形成した中央部開口から見える。
【０００４】
上記構成に於いて、例えば回転軸を支点に９０度回転すると、各リールの外周（第１表示装置）がホイールの外周（第３表示装置）へと切り換る。また、各リールの外周の一部とホイールの外周の中央部が同時に見える。
【０００５】
したがって、特許文献１は、複数種類の表示装置の絵柄表示部の位置を切り換えることによって、多様なゲームを実行することができるという利点がある。
【０００６】
しかしながら、特許文献１は、表示装置の絵柄表示部を切り換えた場合に於いて、一つの問題点があった。それはプレイヤー側から見て、互いに異なる表示装置の絵柄表示部が同時に見えた場合である。例えばプレイヤーの視線を基準にして、各リールの外周と一つのホイールの帯状外周とが同時に見えた場合、ホイールの外周の中央部の曲面は各リールの外周の中央部の曲面と略同一の垂直面上に位置しているので問題がないが、ホイールの外周の左右の曲面は、プレイヤーの視線から次第に遠ざかるので、「全体の絵柄表示部」が見え難いという問題点があった。したがって、特許文献１は、互いに異なる表示装置の絵柄表示部が同時に見えた場合に於いて、回転体の左右の部位（空間部分）を有効的に活用していないという欠点がある。
【０００７】
また、特許文献１は、絵柄表示部（可変情報）に対する表示板、表示装置の支持手段、表示装置を切換えるための駆動源及び伝達手段、切換え位置用検出手段等に関する具体的構成が全く不明である。
【特許文献１】日本国特許庁、特開２００４−１８８１５９号公報
【発明の開示】
【発明が解決しようとする課題】
【０００８】
本発明の第１の目的は、互いに異なる表示装置の絵柄表示部が同時に見えた場合に於いて、両方の絵柄表示部の視覚上のバランス感覚を確保すること。換言すれば、他方の表示装置の絵柄表示部が歪んだような状態に見えないこと。第２の目的は、ユニット型表示装置の絵柄表示部の表示位置が切り換った場合に、プレイヤーが、どの種類の表示装置の絵柄表示部（或いは一部）であるのかを、直ちに一瞥できること。第３の目的は、ユニット型表示装置のコンパクト化を図ること。第４の目的は、「賞態様」の数が非常に多いとの印象・連想をプレイヤーに与えることである。換言すれば、遊技機に於いて、絵柄表示部の多様な組合せができることである。
【課題を解決するための手段】
【０００９】
本発明のユニット型表示装置は、遊技機に装着することができる回転体に、プレイヤーの視線を基準にして絵柄表示部の位置を切り換えることが可能な複数種類の表示装置を備えるユニット型表示装置に於いて、前記回転体に、前記表示装置の絵柄表示部にそれぞれ対応する窓部分を有する複数枚の表示板を互いに交差状に取付け、前記表示板の内、少なくとも一つの表示板の窓部分からは、互いに異なる表示装置の絵柄表示部が同時に見え、かつ、一方の表示装置の曲面状の絵柄表示部と接する接線に対して、他方のフラット状の絵柄表示部が略一致することを特徴とする。
【００１０】
また、本発明のユニット型表示装置は、遊技機に装着することができる回転体に、プレイヤーの視線を基準にして絵柄表示部の位置を切り換えることが可能な複数種類の表示装置を備えるユニット型表示装置に於いて、前記回転体に、前記表示装置の絵柄表示部にそれぞれ対応する複数の窓部分を有する単数の表示板を、前記複数種類の表示装置を囲むように取付け、前記表示板の内、少なくとも一つの表示板の窓部分からは、互いに異なる表示装置の絵柄表示部が同時に見え、かつ、一方の表示装置の曲面状の絵柄表示部と接する接線に対して、他方のフラット状の絵柄表示部が略一致することを特徴とする。
【００１１】
ここで、「絵柄表示部が略一致」とは、表示装置の取付け上の問題から、他方の表示装置の表示面が、一方の表示装置の表示面の接線（例えば垂直面）に対して、多少前後にずれる（例えば１ｃｍ離れている、１ｃｍ食み出ているなど）場合も含む。
【００１２】
また、「絵柄表示部」は、ゲームに必要な数字、文字、記号、模様、キャラクター、イラスト、写真等の情報を意味する。したがって、数字が配当決定ゲーム用の表示である場合も当然に絵柄表示部（可変情報）に含まれる。
【００１３】
また、「交差状」とは、表示板（面）と表示板（面）が間隙を有する、有しないに拘わらず、直交又は斜めの状態に交わることをいう。
【発明の効果】
【００１４】
（１）独立項に記載の発明は、互いに異なる表示装置の絵柄表示部が同時に見えた場合に於いて、他方の表示装置の絵柄表示部が歪んだような状態に見えないので、一方の表示装置の絵柄表示部に対して視覚上のバランスを確保することができる。
（２）請求項２に記載の発明は、ユニット型表示装置の絵柄表示部の表示位置が切り換った場合に、プレイヤーが、どの種類の表示装置の絵柄表示部（或いは一部）であるのかを、直ちに一瞥できる。
（３）請求項３、請求項４に記載の発明は、ユニット型表示装置が合理的に構成されていることから、コンパクト化を実現することができる。
（４）請求項５に記載の発明は、「賞態様」の数が非常に多いとの印象・連想をプレイヤーに与えることである。換言すれば、絵柄表示部の多様な組合せに利用することができる。
【発明を実施するための最良の形態】
【００１５】
以下、図１乃至図１０に示す本発明を実施するための最良の形態（第１実施例）により説明する。
【００１６】
（１）遊技機１の外観構成
図１は、本発明の遊技機（本体）Ｘの一例を示す。遊技機Ｘはスロットマシンである。もちろん、遊技機Ｘはパチンコでも良い。図１を参照にして遊技機Ｘの外観上の構成を説明する。
【００１７】
まず、１は遊技機Ｘの長箱状の筐体である。２は筐体１の中央部前面に設けられた透明の第１パネルで、この第１パネル２は矩形状に形成され、本体の表示装置３によも前方に位置する。本体の表示装置３は、本実施例では、電子表示手段（例えば液晶画面）が用いられている。
【００１８】
もちろん、本体の表示装置３は、特に図示しないが、電子表示手段に代えて複数個のリールを有する機械式の表示手段であっても良い。本体の表示装置３が機械式の表示手段の場合には、本体の表示装置３は第１パネル２よりも後方に位置する第１ベース板（図示しない）の開口部にリールが臨むように取付けられる。
【００１９】
本体の表示装置３は、例えばマトリックス状の表示板４から絵柄表示部（可変する情報）５が見える。付言すれば、本体の表示装置３は、表示板４を介して、プレイヤー側より視認可能な複数個の絵柄表示部（表示面）５を有している。前述したように、本体の表示装置３が機械的表示手段である場合には、絵柄表示部５はリール（回胴）の外周に設けられた絵、数字、図形、記号等である。なお、操作パネル、操作ボタン、操作ハンドル、有効ライン等の細部的な説明は省略する。
【００２０】
次に、６は筐体１の上部前面に設けられた透明の第２パネルで、この第２パネル６の上端部は弧状に形成されている。第２パネル６は下部側の第１パネル２を基準にすると、手前（プレイヤー）側にやや傾倒している。この第２パネル６の後方に開口部８を有する第２ベース板７が設けられている。
【００２１】
ユニット型表示装置Ｙは、後述する回転体１２の表示板が切り換え自在に位置するように本体の第２ベース板７の裏側に支持箱１１を介して固定的には配設されている。
【００２２】
（２）ユニット型表示装置
図２乃至図４を参照にして、ユニット型表示装置Ｘの基本的な構成を簡単に説明する。なお、図２、図６は、本発明の特徴部分を示す概念図である。図６は表示面の位置を９０度切り換えた一例である。
【００２３】
まず、図２に於いて、１１は支持箱、１２はこの支持箱１１内に左右一対の回転軸１３を介して軸支された回転体、１４、１５、１６は回転体１２に一体的に設けられた複数種類の表示装置である。ここでは、１４を第１表示装置、１５を第２表示装置、１６を第３表示装置という。また、ラインＬは接線を意味する。
【００２４】
この接線Ｌは、一方の表示装置の曲面状の絵柄表示部（表示面）と他方のフラット状の絵柄表示部（表示面）とが垂直面或いは水平面上に略一致する。本発明の目的は、「互いに異なる表示装置の絵柄表示部が同時に見えた場合に於いて、他方の表示装置の絵柄表示部が歪んだような状態に見えないこと」であるから、ここで「略一致」とは、取付け上の問題から、他方の表示装置の絵柄表示部が、多少前後にオフセットした場合も含まれる。
換言すると、例えば他方の表示装置の絵柄表示部が一方の表示装置の絵柄表示部から著しく離れ、かつ、本発明の目的を達成することが困難な場合には、本発明の射程外である。
【００２５】
次に、１７は第１表示板、１８は第２表示板、１９は第３表示板である。次に、図３、図４に於いて、２２は前記支持箱１１の一側壁（図では右側壁）の外面に図示しない固着手段を介して固定された第１取付け板、２３は第１取付け板２２を介して支持箱１１の外壁面に取付けられる駆動源（例えば駆動モータ）、２４は駆動源２３の駆動力を前記回転軸１３に伝えるための動力伝達手段、２５は動力伝達手段を利用して回転体１２の切換え位置（回転位置）を検出する検出手段、２６は前記回転軸１３用の軸受け手段である。
【００２６】
本実施例では、前記駆動源２３は、表示ユニット（表示板を有する回転体１２、複数種類の表示装置１４，１５、１６）の表示位置を切り換えるために用いられる。したがって、表示装置１４，１５、１６専用の駆動源（駆動モータ、駆動回路）とは異なるものである。
【００２７】
（３）表示装置Ｙ−支持箱と回転体
次に、表示装置Ｙを構成する各部材を詳細に説明する。表示ユニット用支持箱１１は、前述したように、本体の第２ベース板７の裏側に適宜に固定される。
【００２８】
図４に於いて、１１ａは第２ベース板７の開口部８と連通する前面開口、１１ｂは前面開口１１ａに連通するように左右の側壁の中央部にそれぞれ形成された一対の水平切欠部分である。水平切欠部分１１ｂは側壁の前端から中央部寄りの部位に向かって所要の長さに形成されている。
【００２９】
回転体１２は、左右の回転軸１３及び支持箱１１の水平、垂直、傾斜等の切欠部分１１ｂを介して、支持箱１１内に一部（約半分）或いは全部が簡単に組み込まれる。回転体１２には、複数の表示装置１４，１５、１６が一体的に設けられているから、回転体１２が回転すると、表示装置の表示面の位置が切り換る。
【００３０】
しかして、回転体１２は、回転軸１３を有すると共に、左右一対の対向板１２ａと、これらの対向板１２ａの内壁面の略中央部に固定され、かつ、対向板１２ａに直交する１枚の連結板１２ｂと、この連結板１２ｂの両面にそれぞれ固定された３種類の表示装置１４，１５、１６用の各支持板１２ｃ、１２ｄとから構成され、前記対向板１２ａには、複数の表示板が互いに交差状態に取付けられている。
【００３１】
ここで、３種類の表示装置１４，１５、１６を説明する。まず、図５を基準にして、第１表示装置１４は、連結板１２ｂの表面側に複数の支持板１２ｃを介してマトリックス状に配設された回転リール１４ａである。したがって、第１表示装置１４は、普通一般に「リール」又は「ドラム」と称されるものである。
【００３２】
これらの回転リール１４ａに対しては、図示しない駆動モータ、検出手段（インデックス部材、発光ダイオード、フォトトランジスタなど）がそれぞれ適宜に配設されている。
次に、第２表示装置１５及び第３表示装置１６は、連結板１２ｂの背面側にそれぞれ配設されている。本実施例では、横長の小さい第２表示装置１５及び大きい第３表示装置１６は、それぞれ液晶画面１５ａ、１６ａの表示装置である。
【００３３】
したがって、これらの表示装置１５、１６は、普通一般に「ビデオタイプ」又は「グラフィック」と称されるものである。それ故に、本実施例のユニット型表示装置Ｙは、形状又は大きさが異なる種類の表示装置１４，１５，１６が、対向支持板１２ａ及び連結板１２ｂを介して合計３個設けられている。
【００３４】
さて、図５は図２の概念図に対応する。また、図８は図６の概念図に対応する。これらの図から明らかなように、本実施例では、回転体１２が回転軸１３を支点にして９０度回転すると、例えば第１表示装置１４の絵柄表示部１４ａから第２表示装置１５の絵柄表示部１５ａへと切り換る。
【００３５】
但し、図６、図８の態様に切り換った場合には、互いに異なる表示装置（表示装置１４と表示装置１５）の各絵柄表示部１４ａ、１５ａが同時に見え、かつ、一方の表示装置１４の曲面状の絵柄表示部１４ａと接する接線Ｌに対して、他方のフラット状の絵柄表示部１５ａが略一致する（図６）。換言すれば、異なる種類の絵柄表示部１５ａと絵柄表示部１４ａが互いに遠ざからない。
【００３６】
ここで、図６、図８を参照にして、第２表示装置１５及び第３表示装置１６を説明する。前述したように、図８は第１表示装置１４の絵柄表示部１４ａから第２表示装置１５の絵柄表示部１５ａへと切り換った時を示す。
【００３７】
本実施例では、連結板１２ｂの背面側に位置する横長の小さい第２表示装置１５は、対向板１２ａの端部寄りの内面に直交する長板状支持板１２ｄの前面に固定的に設けられている。そして、第２表示装置１５の絵柄表示部１５ａは、第１表示装置１４の絵柄表示部１４ａと略同一面（接線Ｌ）上に位置する（図６）。
【００３８】
付言すれば、絵柄表示部１４ａの一部分（図５ではリールの上面側の曲面、図８ではリールの表面側の曲面）及び絵柄表示部１５ａのフラット面が、視覚上前後に離れないように同じ場所に位置する。
【００３９】
一方、大きい第３表示装置１６は、長板状支持板１２ｄの背面側に第２表示装置１５と直交するように配設されている。付言すれば、ビデオ型の第３表示装置１６は、リール型第１表示装置１４の裏側に位置していると共に、その絵柄表示部（表示面）１６ａは、第２表示装置１５の絵柄表示部（表示面）１５ａに対して交差状態に位置している。
【００４０】
したがって、図８及び図１０で示すように、第１及び第２表示装置１４、１５の表示態様から第３表示装置１６の表示態様へと切り換った時、プレイヤーの視覚には絵柄表示部（表示面）１６ａのみが見える。この点、図８の状態から図５の状態へ切り換った時、プレイヤーの視覚には絵柄表示部１４ａのみが見える場合と同様である。
なお、特に図示しないが、対向板１２ａは、本実施例では円形状に形成されているが、楕  円状、矩形状なども良い。また、第２表示装置１５及び第３表示装置１６の各駆動回路は適宜に設けられている。
【００４１】
（４）表示装置Ｙの表示板
図３、図７、図９を参照にして、表示装置Ｙの各表示板１７、１８、１９を説明する。表示装置Ｙの複数枚の表示板１７、１８、１９は、例えば回転体１２の左右の対向板１２ａの縁部分に交差状にそれぞれ固定されている。表示板１７、１８、１９の交差態様は、取付け上の問題であるから、本発明の重要な事項ではない。したがって、一つの表示板の端部と他の表示板の端部とが重なる場合や離れている場合も交差状の概念に含まれる。
【００４２】
表示装置Ｙの表示板は、「合計３枚」存在する。ここでは、説明の便宜上、１７を第１表示板、１８を第２表示板、１９を第３表示板とする。
【００４３】
まず、図３に於いて、第１表示板１７は第１表示装置１４に対して取付けられる。この第１表示板１７には、第１表示装置１４の全部の回転リール１４ａの絵柄表示部の一部（表側の曲面）がそれぞれ見えるように、「９個の窓部分（例えば開口、透明シート）１７ａ」がマトリックス状に設けられている。
【００４４】
次に、図７に於いて、第２表示板１８は第１表示装置１４及び第２表示装置１５に対して取付けられる。特に、第２表示板１８の窓部分１８ａ、１８ｂからは、互いに異なる表示装置１４，１５の絵柄表示部１４ａ、１５ａが同時に見えるように区画形成されている。
【００４５】
すなわち、下方に位置する窓部分１８ａからは、第１表示装置１４の絵柄表示部１４ａの一部分がそれぞれ並列状態に見え、一方、上方に位置する窓部分１８ｂからは、第２表示装置１５の絵柄表示部１５ａの全面が横長に見える。
【００４６】
最後に、図９に於いて、第３表示板１９は第３表示装置１６に対して取付けられる。第３表示装置１６は液晶の大型画面であることから、第３表示板１９の窓部分１９ａは「一つ（矩形状開口又は透明シート）」である。
【００４７】
したがって、本実施例の第１表示板ない第３表示板の窓部分１７ａ、１８ａ、１８ｂ、１９ａは、絵柄表示部の種類に対応して、それぞれ異なる形状或いは数に区画形成されている。
【００４８】
（５）駆動源２３
図４で示すように、駆動源２３は、本実施例では駆動モータが用いられている。また、減速機能を有する動力伝達手段２４は、本実施例では、駆動モータ２３の出力軸に固定された小プーリ２４ａと、回転体１２の回転軸１３側に設けられた大プーリ２４ｂと、これらに掛け渡された伝達ベルト２４ｃとから構成されている。
【００４９】
そして、前記大プーリ２４ｂの外壁面には、固定手段を介してリング状のインデックス部材２７が固定されている。インデックス部材２７は、検出手段２５側の検出位置（例えば間隙）を通過することができる突片部分２７ａを複数本（例えば３本）半径外方向に有している。
【００５０】
さらに、軸受け部材２６は、水平切欠部分１１ｂを覆うように支持箱１１の外壁面に固定される円形或いは多角形の固定板２６ａと、この固定板２６ａに装着される玉軸受け２６ｂとから成る。
【００５１】
なお、駆動源２３は、電気的なソレノイドや圧力媒体を利用するプランジャー（シリンダー内を往復動する作動杆）に置換可能である。したがって、動力伝達手段も、減速歯車機構や制御カム、制御レバー、クランク等の動力制御機構に置換可能である。また、本発明の表示装置Ｙは、例えば遊技機Ｘに取付けられると、ユニット用駆動源２３及び各表示装置用の駆動源（駆動モータ、駆動回路）は、図示しない表示制御装置によって制御される。
【実施例】
【００５２】
以下、この欄では、本発明の第２実施例及び第３実施例を説明する。なお、第２実施例は、回転体１２Ａに設けた第２表示装置１５Ａ及び第３表示装置１６Ａの設計変更例なので、主たる構成部材には第２実施例と同一又は同様の符号を付して重複する説明を割愛する。また、第３実施例は、第１実施例の複数の表示板を１枚にした設計変更例なので、第３実施例の詳細は割愛する。
【００５３】
図１１乃至図１４に示す第２実施例に於いて、第１実施例と主に異なる点は回転体１２Ａの第２表示装置１５Ａ及び第３表示装置１６Ａである。ここでは、図１２を基準にして説明する。図８と図１２を対比すると明らかなように、第２実施例の第２表示装置１５Ａは、第１実施例の第２表示装置１５よりも横方向の長さが短く（例えば四分の一程度）、ホイール型の第３表示装置１６Ａの帯状絵柄表示部（外周の表示面）１６ｂの中央部分（中央の曲面部分）をサンドイッチ状に挟むような格好で該帯状絵柄表示部１６ｂの左右に一対配設されている。
【００５４】
換言すれば、左右一対の液晶型第２表示装置１５Ａは、帯状絵柄表示部１６ｂの左右部分（左右の曲面部分）の前方に位置するように支持板１２ｂの先端部に垂直状態に設けられている。したがって、第２表示板１８Ａの横長の窓部分１８ｂからは、帯状絵柄表示部（外周の表示面）１６ｂの中央部分（中央の曲面部分）と左右の液晶型第２表示装置１５Ａの各絵柄表示部１５ａ、１５ａが同時にバランス良く見える。
【００５５】
付言すれば、回転体１２Ａが図１２で示す状態に成った時、一つの表示板（第２表示板）１８Ａの複数個の窓部分１８ａ、１８ｂから、少なくとも３種類の異なる表示装置の絵柄表示部が同時に見える。そして、この実施例では、前記横長の一つの窓部分１８ｂからホイール型と液晶型の表示装置の絵柄表示部１６ｂ、１５ａが同時に見える。
【００５６】
しかも、ホイール型表示装置１６Ａの中央部分に相当する曲面状絵柄表示部１６ｂと接する接線（図示しない）に対して、左右の端部側にそれぞれ位置する液晶型絵柄表示部１５ａが略一致する。
【００５７】
この点に関してさらに説明する。第２表示装置１５Ａの表示位置が、図１１の状態から図１２の状態に切り換ってプレイヤーの視覚に入った時に於いて、第１実施例と同様に、互いに異なる３つの表示装置１４，１５Ａ、１６Ａの各絵柄表示部１４ａ、１５ａ、１６ｂが第２表示板１８Ａの各表示窓１８ａ、１８ｂから同時に見え、かつ、第１表示装置１４の曲面状の絵柄表示部１４ａと接する接線Ｌに対して、第２表示装置１５Ａのフラット状の絵柄表示部１５ａが略一致すると共に、第３表示装置１６Ａの帯状絵柄表示部１６ｂの中央部分に接する図示しない接線（垂直面）上に第２表示装置１５Ａの各絵柄表示部（表示画面）１５ａが略一致する。
【００５８】
ここで、図１４を参照にして第２実施例の主な用語を説明する。１６ａはホイール型第３表示装置１６Ａの正面に相当する円盤状絵柄表示部で、この円盤状絵柄表示部１６ａは、回転体１２Ａが図１２で示す態様から９０度回転して、図１３で示す態様に表示位置が切り換った時に、第３表示板１９Ａの円形状窓部分１９ａから全面的に見える。
【００５９】
なお、ホイール型の第３表示装置１６Ａ用の不番の駆動モータ、ホイールの回転位置検出手段は、連結板１２ｂの背面に固定した取付け板１２ｅ、センサー取付け片等を介して適宜にホイールの背面側に配設されている（細部的事項は省略）。
【００６０】
図１５及び図１６に示す第３実施例に於いて、第１実施例と主に異なる点は表示板２０である。第１実施例の表示板１７、１８、１９は合計３枚であるのに対して、第３実施例の表示板２０は１枚である。
【００６１】
すなわち、表示板２０は、第１実施例の表示板１７、１８、１９を１枚で兼用している。したがって、表示板２０は、１枚の板材を適宜に折り曲げて、複数種類の表示装置１４、１５、１６の各絵柄表示部分に対応する箇所に単数又は複数個の窓部分を形成している。このように表示板２０を単数にしても、第１実施例と同一の目的を達成することができる。なお、この表示板２０は、図１５で示すように端面逆コ字型形状に形成されているが、円筒又は角筒状に形成しても良い。
【産業上の利用可能性】
【００６２】
本発明は、主に遊技機の業界で利用される。
【図面の簡単な説明】
【００６３】
図１乃至図１０は本発明の最良の実施例を示す各説明図。図１１及び図１４は本発明の第２実施例を示す各説明図。図１５及び図１６は本発明の第３実施例を示す各説明図。
【図１】遊技機の一例を概略的に示した説明図。
【図２】特徴部分を示す概念図。
【図３】第１表示板と第１表示装置の取付け関係を示す斜視からの説明図。
【図４】主たる部材（表示装置を除く）の分解斜視図。
【図５】表示装置を有する回転体の斜視図（第１表示装置がプレイヤー側に位置している状態）。
【図６】本発明の特徴部分を示す概念図（表示位置を切り換えた一例）。
【図７】第２表示板と第２表示装置の取付け関係を示す斜視からの説明図。
【図８】表示装置を有する回転体の斜視図（第１表示装置の一部及び第２表示装置の全部がプレイヤー側に位置している状態）。
【図９】第３表示板と第３表示装置の取付け関係を示す斜視からの説明図。
【図１０】表示装置を有する回転体の斜視図（第３表示装置の全部がプレイヤー側に位置している状態）。
【図１１】回転体の第２実施例を示す斜視図。
【図１２】回転体の表示位置を切り換えた時の斜視図（第２表示板も示す）。
【図１３】さらに、回転体の表示位置を切り換えた時の斜視図（第３表示板も示す）。
【図１４】第３表示装置の主要部の分解斜視図。
【図１５】表示板の他の実施例を示す図７と同様の説明図。
【図１６】内部構造を簡略化した概略断面説明図。
【符号の説明】
【００６４】
Ｘ…遊技機、７…本体ベース板、８…開口部、Ｙ…ユニット型表示装置、１１…支持箱、１２…回転体、１２ａ…対向板、１２ｂ…連結板、１２ｃ，１２ｄ…支持板、１３…回転軸、１４…第１表示装置、１４ａ…回転リール（絵柄表示部）、１５，１５Ａ…第２表示装置、１５ａ…小さい液晶画面（絵柄表示部）、１６，１６Ａ…第３表示装置、１６ａ…大きい液晶画面（絵柄表示部），円盤状表示面（絵柄表示部）、１６ｂ…帯状絵柄表示部（外周の表示面）、１７…第１表示板、１８，１８Ａ…第２表示板、１９，１９Ａ…第３表示板、１７ａ，１８ａ，１８ｂ，１９ａ…窓部分、Ｌ…接線（又は垂直面、水平面）、２０…１枚の表示板、２３…駆動源、２４…動力伝達手段。
【図１】
2007130299.tif 000003
【図２】
2007130299.tif 000004
【図３】
2007130299.tif 000005
【図４】
2007130299.tif 000006
【図５】
2007130299.tif 000007
【図６】
2007130299.tif 000008
【図７】
2007130299.tif 000009
【図８】
2007130299.tif 000010
【図９】
2007130299.tif 000011
【図１０】
2007130299.tif 000012
【図１１】
2007130299.tif 000013
【図１２】
2007130299.tif 000014
【図１３】
2007130299.tif 000015
【図１４】
2007130299.tif 000016
【図１５】
2007130299.tif 000017
【図１６】
2007130299.tif 000018